【手続補正書】
【提出日】平成20年5月30日(2008.5.30)
【手続補正１】
【補正対象書類名】明細書
【補正対象項目名】特許請求の範囲
【補正方法】変更
【補正の内容】
【特許請求の範囲】
【請求項１】  ユーザが菓子製品に直接印刷される画像を提示できるようにするシステムであって、
前記ユーザから画像データを受取り、ネットワークに送信する第一コンピュータと、
前記第一コンピュータと通信し、前記ネットワークを介して送信された画像データを受信する第二コンピュータと、
前記第二コンピュータから前記画像データを受信し、該受信した画像データに対応する高品質画像を菓子製品に直接印刷するインクジェット・プリンターと
を備えることを特徴とするシステム。
【請求項２】  前記ネットワークがインターネットであり、前記第一コンピュータが、ワールドワイドウェブを介してハイパーテキスト・マークアップ言語（HTML）形式による送受信を行うウェブブラウザー・ソフトウェアを実行できるクライエント・コンピュータであることを特徴とする、請求項１記載のシステム。
【請求項３】  前記ネットワークが、ローカルエリア・ネットワークであることを特徴とする、請求項１記載のシステム。
【請求項４】  前記インクジェット・プリンターが、分散性顔料食用インクを用いて、単一印刷ヘッドの一回の通過印刷で２００ｄｐｉを超える解像度を有する画像を前記菓子製品に印刷することを特徴とする、請求項１記載のシステム。
【請求項５】  前記インクジェット・プリンターが、オンデマンド型インクジェット・プリンターであることを特徴とする、請求項４記載のシステム。
【請求項６】  前記印刷画像が、３００〜１２００ｄｐｉの解像度を有することを特徴とする、請求項４記載のシステム。
【請求項７】  第一コンピュータ、ネットワークを介して前記第一コンピュータと通信する第二コンピュータ、および前記第二コンピュータと通信するインクジェット・プリンターを備え、ユーザが菓子製品に直接印刷される画像を提示できるようにするシステムに使用される方法であって、
（１）前記第一コンピュータが、前記ユーザから前記画像データを受取り、ネットワークを介して前記第二コンピュータに送信し、
（２）前記第二コンピュータが、前記ネットワークを介して前記第一コンピュータから送信された前記画像データを受信し、
（３）前記インクジェット・プリンターが前記第二コンピュータから前記画像データを受信し、該受信した画像データに対応する高品質画像を菓子製品に直接印刷する
各ステップを有して成ることを特徴とする方法。
【請求項８】  前記ネットワークがインターネットであり、前記第一コンピュータがクライエント・コンピュータであり、前記ステップ（１）が、前記第一コンピュータ上で動作するウェブブラウザー・ソフトウェアにより、ワールドワイドウェブを介して前記第二コンピュータとハイパーテキスト・マークアップ言語（HTML）形式による送受信を行うことにより実行されることを特徴とする、請求項７記載の方式。
【請求項９】  前記ネットワークが、ローカルエリア・ネットワークであることを特徴とする、請求項７記載の方法。
【請求項１０】  前記ステップ（３）において、前記インクジェット・プリンターが、分散性顔料食用インクを用いて、単一印刷ヘッドの一回の通過印刷によって２００ｄｐｉを超える解像度を有する画像を前記菓子製品に印刷することを特徴とする、請求項７記載の方法。
【請求項１１】  前記インクジェット・プリンターがオンデマンド型インクジェット・プリンターであることを特徴とする、請求項１０記載の方法。
【請求項１２】  前記印刷画像が、３００〜１２００ｄｐｉの解像度を有することを特徴とする、請求項１０記載の方法。
【請求項１３】  インターネットを介して、ユーザが菓子製品に直接印刷される画像を提示できるようにするシステムであって、
前記ユーザから画像データを受取り、インターネットに送信するクライエント・コンピュータと、
前記クライエント・コンピュータと通信し、前記インターネットを介して送信された画像データを受信するサーバ・コンピュータと、
前記サーバ・コンピュータから前記画像データを受信し、該受信した画像データに対応する高品質画像を菓子製品に直接印刷するインクジェット・プリンターと
を備えることを特徴とするシステム。
【請求項１４】  前記クライエント・コンピュータが、ワールドワイドウェブを介してハイパーテキスト・マークアップ言語（HTML）形式による送受信を行うウェブブラウザー・ソフトウェアを実行できることを特徴とする、請求項１３記載のシステム。
【請求項１５】  前記インクジェット・プリンターが、分散性顔料食用インクを用いて、単一印刷ヘッドの一回の通過印刷で２００ｄｐｉを超える解像度を有する画像を前記菓子製品に直接印刷することを特徴とする、請求項１３記載のシステム。
【請求項１６】  前記インクジェット・プリンターが、オンデマンド型インクジェット・プリンターであることを特徴とする、請求項１５記載のシステム。
【請求項１７】  前記印刷画像が、３００〜１２００ｄｐｉの解像度を有することを特徴とする、請求項１５記載のシステム。
【請求項１８】  ユーザの指示に基づき装飾菓子製品を特注製造するシステムであって、
ネットワークを介してクライエント・コンピュータと通信し、ネットワークを介して、ユーザが前記クライエント・コンピュータに入力した画像情報を受信し、該受信した画像情報をインクジェット・プリンターに転送することにより、前記受信した画像情報に対応する高品質画像を前記菓子製品に直接印刷させるサーバ・コンピュータを備えることを特徴とするシステム。
【請求項１９】  前記ネットワークがインターネットであり、前記クライエント・コンピュータが、ワールドワイドウェブを介してハイパーテキスト・マークアップ言語（HTML）形式による送受信を行うウェブブラウザー・ソフトウェアを実行できることを特徴とする、請求項１８記載のシステム。
【請求項２０】  前記ネットワークが、ローカルエリア・ネットワークであることを特徴とする、請求項１８記載のシステム。
【請求項２１】  前記インクジェット・プリンターが、分散性顔料食用インクを用いて、単一印刷ヘッドの一回の通過印刷で２００ｄｐｉを超える解像度を有する画像を前記菓子製品に直接印刷することを特徴とする、請求項１８記載のシステム。
【請求項２２】  前記インクジェット・プリンターが、オンデマンド型インクジェット・プリンターであることを特徴とする、請求項２１記載のシステム。
【請求項２３】  前記印刷画像が、３００〜１２００ｄｐｉの解像度を有することを特徴とする、請求項２１記載のシステム。
【請求項２４】  ユーザの指示に基づく装飾菓子製品の特注製造を容易にするネットワーク上のサーバ・コンピュータに係る方法であって、
ネットワークを介して、前記ユーザのクライエント・コンピュータと通信し、
ネットワークを介して、前記ユーザが前記クライエント・コンピュータに入力した画像情報を受信し、
前記受信画像情報に対応する高品質画像を前記菓子製品に直接印刷させるため、前記受信画像情報をインクジェット・プリンターに転送する
各ステップを有して成ることを特徴とする方法。
【請求項２５】  前記ネットワークがインターネットであり、前記クライエント・コンピュータが、ワールドワイドウェブを介してハイパーテキスト・マークアップ言語（HTML）形式による送受信を行うウェブブラウザー・ソフトウェアを実行できることを特徴とする、請求項２４記載の方法。
【請求項２６】  前記ネットワークが、ローカルエリア・ネットワークであることを特徴とする、請求項２４記載の方法。
【請求項２７】  前記インクジェット・プリンターが、分散性顔料食用インクを用いて、単一印刷ヘッドの一回の通過印刷で２００ｄｐｉを超える解像度を有する画像を前記菓子製品に直接印刷することを特徴とする、請求項２４記載の方法。
【請求項２８】  前記インクジェット・プリンターが、オンデマンド型インクジェット・プリンターであることを特徴とする、請求項２７記載の方法。
【請求項２９】  前記印刷画像が、３００〜１２００ｄｐｉの解像度を有することを特徴とする、請求項２７記載の方法。
【請求項３０】  ネットワーク上のサーバ・コンピュータを制御し、
ネットワークを介して、ユーザのクライエント・コンピュータと通信し、
ネットワークを介して、ユーザが前記クライエント・コンピュータに入力した画像情報を受信し、
前記受信画像情報に対応する高品質画像を菓子製品に直接印刷するため、該受信画像情報をインクジェット・プリンターに転送する各ステップを有して成る、ユーザの指示に基づく特別注文に応じた装飾菓子製品の製造を容易にする方法を前記コンピュータに実行させる実行コードを格納するコンピュータ可読媒体。
【請求項３１】  前記ネットワークがインターネットであり、前記クライエント・コンピュータが、ワールドワイドウェブを介してハイパーテキスト・マークアップ言語（HTML）形式による送受信を行うウェブブラウザー・ソフトウェアを実行できるものであることを特徴とする、請求項３０記載のコンピュータ可読媒体。
【請求項３２】  前記ネットワークが、ローカルエリア・ネットワークであることを特徴とする、請求項３０記載のコンピュータ可読媒体。
【請求項３３】  前記インクジェット・プリンターが、分散性顔料食用インクを用いて、単一印刷ヘッドの一回の通過印刷で２００ｄｐｉを超える解像度を有する画像を前記菓子製品に直接印刷するものであることを特徴とする、請求項３０記載のコンピュータ可読媒体。
【請求項３４】  前記インクジェット・プリンターが、オンデマンド型インクジェット・プリンターであることを特徴とする、請求項３３記載のコンピュータ可読媒体。
【請求項３５】  前記印刷画像が、３００〜１２００ｄｐｉの解像度を有することを特徴とする、請求項３３記載のコンピュータ可読媒体。
【請求項３６】 前記印刷を菓子の非平面上になすことを特徴とする請求項１、１３および１８、何れか１項記載のシステム。
【請求項３７】 前記印刷を菓子の非平面上になすことを特徴とする請求項７または２４記載の方法。
【請求項３８】 前記印刷をシュガー・シェル・キャンディまたはゼリービーンの非平面上になすことを特徴とする請求項１、１３および１８、何れか１項記載のシステム。
【請求項３９】 前記印刷をシュガー・シェル・キャンディまたはゼリービーンの非平面上になすことを特徴とする請求項７または２４記載の方法。